(57)【特許請求の範囲】
【請求項１】
個別のアウトバウンドパケットデータトラフィックチャネルが各送信キャリア信号にマッピングされる、２つ以上の送信キャリア信号の各々を介してデータを遠隔ノードに送信するための無線送受信器における方法であって、
第１の受信キャリア信号に対応する第１の制御チャネルデータと、第２の受信キャリア信号に対応する第２の制御チャネルデータとを結合することによって、アグリゲートされた制御チャネルデータを形成することと、個別のインバウンドパケットデータトラフィックチャネルは前記第１及び第２の受信キャリア信号の各々にマッピングされることと、
トラフィックチャネルデータを前記遠隔ノードに２つ以上の前記アウトバウンドパケットデータトラフィックチャネルの各々上で同時に送信することと、
前記アグリゲートされた制御チャネルデータを、前記送信キャリア信号のうちの第１の送信キャリア信号にマッピングされる１つ以上の物理制御チャネルを用いて送信することと、
を含み、
複数の遠隔ノードについての前記アグリゲートされた制御チャネルデータが前記第１の送信キャリア信号にマッピングされる前記１つ以上の物理制御チャネルを用いて送信されることにより、前記送信キャリア信号のうちの第２の送信キャリア信号における当該制御チャネルデータの混在が回避される、
方法。
【請求項２】
前記第１及び第２の制御チャネルデータは、
前記第１及び第２の受信キャリア信号の各々に対応する電力制御コマンドと、
前記第１及び第２の受信キャリア信号の各々に対応する絶対的許可データであって、前記対応する受信キャリア信号についての前記インバウンドパケットデータトラフィックチャネル上での送信のための最大データレートを示す絶対的許可データと、
前記第１及び第２の受信キャリア信号の各々に対応する相対的許可データであって、前記対応する受信キャリア信号についての前記インバウンドパケットデータトラフィックチャネル上での送信のためのデータレートにおける変化を示す相対的許可データと、
前記第１及び第２の受信キャリア信号の各々についての前記インバウンドパケットデータトラフィックチャネル上で受信されるパケットデータに対応する、肯定応答データ、否定応答データ、又はこれらの双方と、
前記第１及び第２の受信キャリア信号の各々に対応するチャネル品質データと
から成るグループから選択される、１つ以上の制御チャネルデータタイプを含む、
請求項１に記載の方法。
【請求項３】
アグリゲートされた制御チャネルデータを形成することは、第３及び第４の制御チャネルデータを前記第１及び第２の制御チャネルデータと結合することをさらに含み、前記第３及び第４の制御チャネルデータは、前記送信キャリア信号のうちの前記第１の送信キャリア信号と前記送信キャリア信号のうちの第２の送信キャリア信号とにそれぞれ対応する、請求項１に記載の方法。
【請求項４】
前記第３及び第４の制御チャネルデータは、
前記第１及び第２の送信キャリア信号の各々についての前記アウトバウンドパケットデータトラフィックチャネルに対応する送信バッファステータスデータと、
前記送信キャリア信号のうちの前記第１及び第２の送信キャリア信号の各々についての前記アウトバウンドパケットデータトラフィックチャネルに対応する自動再送要求処理データと、
前記送信キャリア信号のうちの前記第１及び第２の送信キャリア信号の各々についての前記アウトバウンドパケットデータトラフィックチャネルに対応するトランスポートフォーマットデータと、
から成るグループから選択される、１つ以上の制御チャネルデータタイプを含む、
請求項３に記載の方法。
【請求項５】
パイロットチャネルを前記送信キャリア信号の各々を介して送信することをさらに含む、請求項１に記載の方法。
【請求項６】
前記アグリゲートされた制御チャネルデータを前記送信キャリア信号のうちの前記第１の送信キャリア信号にマッピングされる１つ以上の物理制御チャネルを用いて送信することは、前記第１及び第２の受信キャリア信号の各々について１つ以上の時間スロットを制御データに関連付ける所定のマッピングパターンに従って、前記第１及び第２の制御チャネルデータのビットを、前記送信キャリア信号のうちの前記第１の送信キャリア信号の時間スロットにマッピングすることによって、前記第１及び第２の制御チャネルデータを時分割多重化することを含む、請求項１に記載の方法。
【請求項７】
前記第１の制御チャネルデータと前記第２の制御チャネルデータとを結合することは、
前記第１の制御チャネルデータから生成される第１のエラー検出コードを、前記遠隔ノードに対応する第１の無線識別子でマスキングすることと、
前記第２の制御チャネルデータから生成される第２のエラー検出コードを、前記遠隔ノードに対応し且つ前記第１の無線識別子とは異なる第２の無線識別子でマスキングすることと、
前記マスキングされた第１及び第２のエラー検出コードを、前記アグリゲートされた制御チャネルデータに含めることと、
を含む、請求項１に記載の方法。
【請求項８】
前記第１の制御チャネルデータと前記第２の制御チャネルデータとを結合することは、前記第１及び第２の制御チャネルデータを、前記送信キャリア信号のうちの前記第１の送信キャリア信号の第１及び第２のサブフレームを用いて時分割多重化することを含む、請求項１に記載の方法。
【請求項９】
前記第１の制御チャネルデータと前記第２の制御チャネルデータとを結合することは、前記第１及び第２の制御チャネルデータを、それぞれ第１及び第２のチャネライゼーションコードを用いて符号分割多重化することを含む、請求項１に記載の方法。
【請求項１０】
対応する送信キャリア信号にマッピングされた２つ以上の個別のアウトバウンドパケットデータトラフィックチャネルを介してデータを遠隔ノードに送信するように構成された送信器回路と、第１及び第２の受信キャリア信号にそれぞれマッピングされた、第１及び第２の個別のインバウンドパケットデータトラフィックチャネルを受信するように構成された受信器回路と、
前記第１の受信キャリア信号に対応する第１の制御チャネルデータと、前記第２の受信キャリア信号に対応する第２の制御チャネルデータとを結合することによって、アグリゲートされた制御チャネルデータを形成し、
前記送信器回路を介して、２つ以上の前記アウトバウンドパケットデータトラフィックチャネルの各々上で、トラフィックチャネルデータを前記遠隔ノードに同時に送信し、
前記送信器回路を用いて、前記アグリゲートされた制御チャネルデータを、前記送信キャリア信号のうちの第１の送信キャリア信号にマッピングされる１つ以上の物理制御チャネルを用いて送信する
ように構成された制御回路と、を備え、
複数の遠隔ノードについての前記アグリゲートされた制御チャネルデータが前記第１の送信キャリア信号にマッピングされる前記１つ以上の物理制御チャネルを用いて送信されることにより、前記送信キャリア信号のうちの第２の送信キャリア信号における当該制御チャネルデータの混在が回避される、
無線送受信機。
【請求項１１】
前記第１及び第２の制御チャネルデータは、
前記第１及び第２の受信キャリア信号の各々に対応する電力制御コマンドと、
前記第１及び第２の受信キャリア信号の各々に対応する絶対的許可データであって、前記対応する受信キャリア信号についての前記インバウンドパケットデータトラフィックチャネル上での送信のための最大データレートを示す絶対的許可データと、
前記第１及び第２の受信キャリア信号の各々に対応する相対的許可データであって、前記対応する受信キャリア信号についての前記インバウンドパケットデータトラフィックチャネル上での送信のためのデータレートにおける変化を示す相対的許可データと、
前記第１及び第２の受信キャリア信号の各々についての前記インバウンドパケットデータトラフィックチャネル上で受信されるパケットデータに対応する、肯定応答データ、否定応答データ、又はこれらの双方と、
前記第１及び第２の受信キャリア信号の各々に対応するチャネル品質データと、
から成るグループから選択される、１つ以上の制御チャネルデータタイプを含む、
請求項１０に記載の無線送受信機。
【請求項１２】
前記制御回路は、第３及び第４の制御チャネルデータを前記第１及び第２の制御チャネルデータとさらに結合することによって、アグリゲートされた制御チャネルデータを形成するように構成され、前記第３及び第４の制御チャネルデータは、それぞれ前記送信キャリア信号のうちの前記第１の送信キャリア信号と前記送信キャリア信号のうちの第２の送信キャリア信号とに対応する、請求項１０に記載の無線送受信機。
【請求項１３】
前記第３及び第４の制御チャネルデータは、
前記第１及び第２の送信キャリア信号の各々についての前記アウトバウンドパケットデータトラフィックチャネルに対応する送信バッファステータスデータと、
前記送信キャリア信号のうちの前記第１及び第２の送信キャリア信号の各々についての前記アウトバウンドパケットデータトラフィックチャネルに対応する自動再送要求処理データと、
前記送信キャリア信号のうちの前記第１及び第２の送信キャリア信号の各々についての前記アウトバウンドパケットデータトラフィックチャネルに対応するトランスポートフォーマットデータと、
から成るグループから選択される、１つ以上の制御チャネルデータタイプを含む、
請求項１２に記載の無線送受信機。
【請求項１４】
前記送信器回路はさらに、前記送信キャリア信号の各々を介してパイロットチャネルを送信するように構成される、請求項１０に記載の無線送受信機。
【請求項１５】
前記制御回路は、前記第１及び第２の受信キャリア信号の各々について１つ以上の時間スロットを制御データに関連付ける所定のマッピングパターンに従って、前記第１及び第２の制御チャネルデータのビットを、前記送信キャリア信号のうちの前記第１の送信キャリア信号の時間スロットに時分割多重化することによって、前記送信器回路を用いて、前記送信キャリア信号のうちの前記第１の送信キャリア信号にマッピングされた１つ以上の物理制御チャネルを用いて、前記アグリゲートされた制御チャネルデータを送信するように構成される、請求項１０に記載の無線送受信機。
【請求項１６】
前記制御回路は、
前記第１の制御チャネルデータから生成される第１のエラー検出コードを、前記遠隔ノードに対応する第１の無線識別子でマスキングすることと、
前記第２の制御チャネルデータから生成される第２のエラー検出コードを、前記遠隔ノードに対応し且つ前記第１の無線識別子とは異なる第２の無線識別子でマスキングすることと、
前記マスキングされた第１及び第２のエラー検出コードを、前記アグリゲートされた制御チャネルデータに含めることと、
によって、前記第１の制御チャネルデータと前記第２の制御チャネルデータとを結合するように構成される、
請求項１０に記載の無線送受信機。
【請求項１７】
前記制御回路は、前記第１及び第２の制御チャネルデータを、それぞれ第１及び第２のチャネライゼーションコードを用いて符号分割多重化することによって、前記第１の制御チャネルデータと前記第２の制御チャネルデータとを結合するように構成される、請求項１０に記載の無線送受信機。
【請求項１８】
前記制御回路は、前記第１及び第２の制御チャネルデータを前記送信キャリア信号のうちの前記第１の送信キャリア信号の第１及び第２のサブフレームを用いて時分割多重化することによって、前記第１の制御チャネルデータと前記第２の制御チャネルデータとを結合するように構成される、請求項１０に記載の無線送受信機。
【発明の詳細な説明】
【技術分野】
【０００１】
本発明は、一般的に、無線通信システムに関し、より具体的には、制御チャネル情報をマルチキャリア高速無線データシステムにおいて効率的に送信する技術に関する。
【背景技術】
【０００２】
マルチキャリア（ＭＣ）高速パケットアクセス（ＨＳＰＡ：High-Speed  Packet-Access）は現在、第３世代パートナーシッププロジェクト（３ＧＰＰ：3rd-Generation  Partnership  Project）によって標準化されつつある。３ＧＰＰのいわゆるリリース８の仕様書では、２つの隣接するＨＳＰＡキャリアを用いるダウンリンクパケット通信がサポートされている。アップリンクでは、当面、シングルキャリア送信のみが可能であるが、２つの隣接するアップリンクＨＳＰＡキャリアを用いる通信を、リリース９に盛り込むことを狙った、３ＧＰＰの作業項目が存在する。この作業項目では、キャリアはできる限り広い範囲でレガシーキャリアとして動作することが意図される。将来的な３ＧＰＰのリリースにおいては、３つ以上のキャリアについてのサポートと、異なる周波数帯域における動作を含め、ＭＣ−ＨＳＰＡを様々な方法で展開することが期待できる。
【発明の概要】
【発明が解決しようとする課題】
【０００３】
無線通信ネットワークが、より少ない回線交換データを送信する一方で、より多くのパケットデータを送信するように発達し続けるにつれて、ＭＣ−ＨＳＰＡシステムの１つ以上の補足キャリア（supplementary  carriers）がもっぱらパケットデータを送信するようになることが考えられる。従って、これらのキャリアをパケットデータのみの送信に最適化することは理にかなっている。しかしながら、今日では、広帯域符号分割多元接続（ＷＣＤＭＡ：Wideband  Code-Division  Multiple  Access）に関する３ＧＰＰ標準は、パケットデータのみの送信、特に、アップリンクについては次善（sub-optimal）である。具体的には、現在の３ＧＰＰの仕様書（リリース７）は、アップリンクにおいて最大で１１．５２メガビット／秒（Ｍｂｐｓ）のデータレートをサポートしているが、このような高いレートを実現することは現実には困難である。それどころか、現在は、４Ｍｂｐｓのデータレートでさえ困難と考えられている。基本的な問題は、高いデータレートが使用される場合に、基地局（又は、３ＧＰＰの用語では「ノードＢ」）において受信される電力が、非常に高いレベルである必要があることである。しかしながら、データユーザから高レベルの電力が受信されると、一般に、データサービスをサポートする重要な制御チャネルについてパフォーマンスの低下及び著しい干渉が生じる。この干渉の増加に対処し、且つ、制御チャネルのパフォーマンスの低下を軽減するために、ユーザ端末は、その送信電力レベルを増加させようと試みてもよい。しかしながら、そのような動作は、不安定なシステムを生み出し得る。なぜなら、システムのライズオーバーサーマル（ＲｏＴ：rise-over-thermal）の測定基準が制御不能となり得るからである。
【課題を解決するための手段】
【０００４】
本発明の幾つかの実施形態において、マルチキャリアＨＳＰＡシステムの２つ以上のダウンリンクキャリアからの制御チャネルデータは、一つのダウンリンクアンカーキャリア上にリマッピングされる（remapped）（即ち、アグリゲートされる（aggregated））か、若しくは、複数のアップリンクキャリアからの制御チャネルデータが、一つのアップリンクアンカーキャリア上にリマッピングされるか、又は、これらの双方である。多くの場合、このアグリゲーションによって、アップリンク及びダウンリンクの一方又は双方において１つ以上の「クリーンな（clean）」キャリアの設定が可能になる。
【０００５】
より一般的には、本明細書に開示されるのは、個別のアウトバウンドパケットデータトラフィックチャネルが各送信キャリア信号にマッピングされる、データを遠隔ノードに２つ以上の送信キャリア信号の各々を介して送信するための方法及び装置である。例示的な方法において、２つ以上の受信キャリア信号の各々に対応する制御チャネルデータを結合することによって、アグリゲートされた（aggregated）制御チャネルデータが形成され、２つ以上のアウトバウンドパケットデータトラフィックチャネルの各々上で、トラフィックチャネルデータを前記遠隔ノードに同時に送信し、前記送信キャリア信号のうちの第１の送信キャリア信号にマッピングされる１つ以上の物理制御チャネルを用いて、前記アグリゲートされた制御チャネルデータを送信する。
【０００６】
幾つかの実施形態において、アグリゲートされた制御チャネルデータは、２つ以上の受信キャリア信号の各々に対応する電力制御コマンドと、２つ以上の受信キャリア信号の各々に対応する絶対的許可データであって、対応する受信キャリア信号についてのインバウンドパケットデータトラフィックチャネル上での送信のための最大データレートを示す絶対的許可データと、２つ以上の受信キャリア信号の各々に対応する相対的許可データであって、対応する受信キャリア信号についてのインバウンドパケットデータトラフィックチャネル上での送信のためのデータレートにおける変化を示す相対的許可データと、２つ以上の受信キャリア信号の各々についてのインバウンドパケットデータトラフィックチャネル上で受信されるパケットデータに対応する、肯定応答データ、否定応答データ、又はこれらの双方と、２つ以上の受信キャリア信号の各々に対応するチャネル品質データとから成るグループから選択される、１つ以上の制御チャネルデータタイプを含む。
【０００７】
幾つかの実施形態において、アグリゲートされた制御チャネルデータを形成することは、受信キャリア信号について付加的な制御チャネルデータを制御チャネルデータと結合することをさらに含み、この付加的な制御チャネルデータは、２つ以上の送信キャリア信号に対応する。これらの実施形態の一部において、この付加的な制御チャネルデータは、２つ以上の送信キャリア信号の各々についてのアウトバウンドパケットデータトラフィックチャネルに対応する送信バッファステータスデータと、２つ以上の送信キャリア信号の各々についてのアウトバウンドパケットデータトラフィックチャネルに対応する自動再送要求処理データと、２つ以上の送信キャリア信号の各々についてのアウトバウンドパケットデータトラフィックチャネルに対応するトランスポートフォーマットデータとから成るグループから選択される、１つ以上の制御チャネルデータタイプを含む。幾つかの実施形態において、上述した方法のうちの１つは、パイロットチャネルを送信キャリア信号の各々を介して送信することをさらに含み得る。
【０００８】
幾つかの実施形態において、上述した方法は、送信キャリア信号のうちの１つについてのアウトバウンドパケットデータトラフィックチャネルを、送信キャリア信号についての制御チャネルデータと時間多重して、アウトバウンド結合物理チャネルを形成することと、アウトバウンド結合物理チャネルを拡散符号で拡散して、アウトバウンドスペクトル拡散信号を形成することとを含み得る。これらの実施形態において、トラフィックチャネルデータを遠隔ノードに２つ以上のアウトバウンドパケットデータトラフィックチャネルの各々上で同時に送信することは、アウトバウンドスペクトル拡散信号を送信キャリア信号を介して送信することを含む。これらの実施形態の一部において、時間多重された制御チャネルデータは、送信キャリア信号についてのアウトバウンドパケットデータトラフィックチャネルに対応する送信バッファステータスデータと、送信キャリア信号についての前記アウトバウンドパケットデータトラフィックチャネルに対応する自動再送要求処理データと、送信キャリア信号についてのアウトバウンドパケットデータトラフィックチャネルに対応するトランスポートフォーマットデータとから成るグループから選択される、１つ以上の制御チャネルデータタイプを含む。
【０００９】
幾つかの実施形態において、アグリゲートされた制御チャネルデータを送信キャリア信号のうちの第１の送信キャリア信号にマッピングされる１つ以上の物理制御チャネルを用いて送信することは、第１及び第２の受信キャリア信号の各々について１つ以上の時間スロットを制御データに関連付ける所定のマッピングパターンに従って、この制御チャネルデータのビットを、送信キャリア信号のうちの第１の送信キャリア信号の時間スロットにマッピングすることによって、受信キャリア信号について制御チャネルデータを時分割多重化することを含む。
【００１０】
上記にまとめられた実施形態のうちの幾つかにおいて、２つ以上の受信キャリア信号についての制御チャネルデータを結合することは、受信キャリア信号の第１及び第２の受信信号についての制御チャネルデータを、送信キャリア信号のうちの第１の送信キャリア信号の第１及び第２のサブフレームを用いて時分割多重化することを含む。他において、制御チャネルデータを結合することは、受信キャリア信号のうちの第１の受信キャリア信号についての制御チャネルデータから生成される第１のエラー検出コードを、前記遠隔ノードに対応する第１の無線識別子でマスキングすることと、受信キャリア信号のうちの第２の受信キャリア信号についての制御チャネルデータから生成される第２のエラー検出コードを、遠隔ノードに対応し且つ第１の無線識別子とは異なる第２の無線識別子でマスキングすることと、マスキングされた第１及び第２のエラー検出コードを、アグリゲートされた制御チャネルデータに含めることとを含む。これら後者の実施形態のうちの幾つかにおいて、制御チャネルデータを結合することは、受信キャリア信号のうちの第１及び第２の受信キャリア信号についての制御チャネルデータを、それぞれ第１及び第２のチャネライゼーションコードを用いて符号分割多重化することを含む。
【００１１】
また別の実施形態において、２つ以上の受信キャリア信号についての制御チャネルデータを結合することは、第１の制御チャネルデータを、遠隔ノードに予め割り当てられた第１のシグネチャシーケンスで符号化することと、第２の制御チャネルデータを、第１のシグネチャシーケンスとは異なり、且つ、遠隔ノードに予め割り当てられた、第２のシグネチャシーケンスで符号化することと、符号化された第１の制御チャネルデータと符号化された第２の制御チャネルデータとを、アグリゲートされた制御チャネルデータに含めることとを含む。これらの実施形態のうちの幾つかにおいて、送信キャリア信号のうちの第１の送信キャリア信号にマッピングされた１つ以上の物理制御チャネルを用いて、アグリゲートされた制御チャネルデータを送信することは、符号化された第１の制御チャネルデータ及び符号化された第２の制御チャネルデータを、第１及び第２のチャネライゼーションコードを用いて符号分割多重化することを含む。他において、送信キャリア信号のうちの第１の送信キャリア信号にマッピングされた１つ以上の物理制御チャネルを用いて、アグリゲートされた制御チャネルデータを送信することは、符号化された第１の制御チャネルデータ及び符号化された第２の制御チャネルデータを、送信キャリア信号のうちの第１の送信キャリア信号の第１及び第２のサブフレームを用いて時分割多重化することを含む。
【００１２】
上述されたいずれの方法も、またその変形例も、マルチキャリアＨＳＰＡシステムにおけるノードＢ又は（３ＧＰＰ文書において、一般に、ユーザ機器又は「ＵＥ」と称される）移動局といった、無線リンクの一端又は両端で使用するために、無線送受信機に実装され得る。従って、本発明の実施形態は、対応する送信キャリア信号にマッピングされた２つ以上の個別のアウトバウンドパケットデータチャネルを介してデータを遠隔ノードに送信するように構成された送信器回路と、第１及び第２の受信キャリア信号にそれぞれマッピングされた、第１及び第２の個別のインバウンドパケットデータトラフィックチャネルを受信するように構成された受信器回路と、上述した技法のうちの１つ以上を実行するように構成された制御回路とを備える無線送受信機を含む。特に、制御回路は、第１の受信キャリア信号に対応する第１の制御チャネルデータと、第２の受信キャリア信号に対応する第２の制御チャネルデータとを結合することによって、アグリゲートされた制御チャネルデータを形成し、送信器回路を介して、２つ以上のアウトバウンドパケットデータトラフィックチャネルの各々上で、トラフィックチャネルデータを遠隔ノードに同時に送信し、アグリゲートされた制御チャネルデータを、送信キャリア信号のうちの第１の送信キャリア信号にマッピングされる１つ以上の物理制御チャネルを用いて送信するように構成されてもよい。
【００１３】
本発明は、言うまでもなく、本発明の本質的特徴から逸脱することなく、本明細書に具体的に記載されるもの以外の方法で実施されてよい。以下の説明を読むことで、また、添付の図面を参照することで、記載される実施形態が例示的なものであって限定的なものではないこと、及び、添付の特許請求の範囲の意味及び均等の範囲内におさまるあらゆる変更がそこに包含されることを当業者は認識するであろう。
【図面の簡単な説明】
【００１４】
【図１】マルチキャリア送信を利用する例示的な無線通信システムを示す。
【図２】本発明の幾つかの実施形態に係る無線送受信器の機能的な構成要素を示すブロック図である。
【図３】例示的な処理回路を示すブロック図である。
【図４】ＨＳＰＡシステムにおける、データチャネル及び制御チャネルのキャリアへのマッピングを示す。
【図５】マルチキャリアシステムにおける、制御チャネルデータのダウンリンクアンカーキャリア上へのアグリゲーションを示す。
【図６】マルチキャリアシステムにおける、制御チャネルデータのアップリンクアンカーキャリア上へのアグリゲーションを示す。
【図７】ＨＳＰＡ  Ｅ−ＡＧＣＨチャネルのフレーム構造を示す。
【図８】ＨＳＰＡ  Ｅ−ＡＧＣＨチャネルのコーディングチェーンを示す。
【図９】ＨＳＰＡ  Ｅ−ＲＧＣＨ／Ｅ−ＨＩＣＨチャネルのフレーム構造を示す。
【図１０】ＨＳＰＡ  Ｆ−ＤＰＣＨチャネルのスロット構造を示す。
【図１１】ＨＳＰＡシステムにおけるアップリンクＤＰＣＣＨのスロット構造を示す。
【図１２】マルチキャリアシステムにおいて、アグリゲートされた制御チャネルデータを送信する例示的な方法を示す処理フロー図である。
【図１３】本発明の幾つかの実施形態に係る、制御チャネルデータを結合する方法を示す処理フロー図である。
【図１４】制御チャネルデータを結合する別の例示的な方法を示す処理フロー図である。
【図１５】制御チャネルデータを結合するさらに別の例示的な方法を示す処理フロー図である。
【発明を実施するための形態】
【００１５】
本発明の種々の観点は、３ＧＰＰによって現在開発されつつあるマルチキャリアＨＳＰＡの仕様書に照らして、以下に記載される。言うまでもなく、本明細書に記載される技法が、これら特定のシステムにおける適用には限定されず、既に開発されていようとこれから計画されることになっていようと、他の無線システムに適用され得ることを、当業者は理解するであろう。
【００１６】
上述したように、無線リンクにおいて非常に高いパケットデータレートを実現することは、一般に、遠隔ノードにおいて受信される高速のデータチャネルの電力レベルが、非常に高いことを必要とする。一方、制御チャネルデータは従来、（例えば、チャネライゼーションコードによって分けられる）１つ以上の別個の、低いレートの、物理チャネルではなく、高速データチャネルと同じキャリア上で送信される。高速データチャネルについて要求される高い電力レベルは、これらの重要な制御チャネルに著しい干渉をもたらし得る。上述の通り、この問題に対する１つの取り得る対応は、単に送信電力レベル全体を上げることである。しかし、このアプローチは、カバレッジ（coverage）の悪化に加えて、不安定なシステムパフォーマンスにもつながり得る。なぜなら、ＵＥは、増大した干渉レベルを補償するのに充分なだけ、その送信電力を増加させることができないかもしれないからである。
【００１７】
各キャリアが少なくとも１つの別個の及び個別の高速データチャネルを備え、且つ、各高速データチャネルが対応する制御チャネルデータを有する、マルチキャリアシステムにおいて、別のアプローチは、異なるタイプのトラフィックを分けることで、複数のキャリアが存在するという事実を利用することである。例えば、制御チャネルといった、低レートの、遅延に敏感な（delay-sensitive）送信信号は、アンカーキャリアと呼ばれる特定のキャリア上にアグリゲートされることができる。これらの制御チャネルを過度の干渉から保護するために、非常に高いデータレートの送信信号は、このキャリア上では許可されないことがあり得る。代わりに、高レートの、ベストエフォート型のパケットデータ通信が、１つ以上の補足（非アンカー（non-anchor））キャリアに制限され得るが、これは、はるかに高いライズオーバーサーマル（ＲｏＴ）レベルを許容し得る。また、これは、場合により、短期間のシステムの不安定性でさえも許容し得る。このようにして、１つ以上の補足キャリアが、高いデータレートの送信信号が発生した場合に影響を受ける制御チャネルが混在しない（not  cluttered）という意味で、「クリーンに（clean）」構成される。
【００１８】
２００９年８月６日に出願された、出願番号第１２／５３７，１４８号、Ｙ．Ｐ．Ｅ．Ｗａｎｇその他による、"Management  of  Uplink  Resources  in  Multi-Carrier  CDMA  System"と題された、同時係属中の米国特許明細書（代理人整理番号Ｐ２７７３６、以下「Ｗａｎｇ明細書」）には、アップリンクキャリアで低レートのトラフィックと高レートのトラフィックの分離を容易にするための制御シグナリング方法が開示されている。Ｗａｎｇ明細書の全ての内容が、参照によって本明細書に包含される。特に、Ｗａｎｇ明細書は、移動局がその送信バッファステータスの標識（indication）をノードＢのシステムスケジューラに提供する方法を開示している。スケジューラが移動局のバッファステータスを把握している場合、スケジューラは、移動局によるアップリンクデータ送信をスケジューリングするために、どのキャリアを使用するかに関して、移動局が送信すべきデータをまだ大量に有するのか、又は、少量のみを有するのかに基づいて、より良い決定を行うことができる。しかしながら、Ｗａｎｇ明細書に開示される技法は、概して、一度に１つのアップリンクキャリアだけを利用するように構成され、且つ、複数のダウンリンクキャリアと組み合わされた複数のアップリンクキャリア間でスイッチングすることができる移動局の場合に適している。Ｗａｎｇ明細書は、本明細書の議論の焦点である、複数のキャリアからの制御チャネルトラフィックを単一のアンカーキャリア上にアグリゲートする（aggregating）方法を対象としてはいない。
【００１９】
本発明の幾つかの実施形態に係るマルチキャリアシステムにおいて、２つ以上のダウンリンクキャリアからの制御チャネルは、単一のダウンリンクアンカーキャリア上にリマッピングされる（remapped）。同様に、幾つかの実施形態において、２つ以上のアップリンクキャリアからの制御チャネルは、１つのアップリンクアンカーキャリア上にアグリゲートされる。このアグリゲーションアプローチにより、アップリンク及びダウンリンクの双方で「クリーンな」キャリア、即ち、高速パケットデータのみを搬送する、又は、高速パケットデータに加えて限られた量の制御チャネルデータのみを搬送するキャリアの構成が可能となる。
【００２０】
以下の詳細な議論にコンテキストを与えるべく、図１は、本発明の幾つかの実施形態に係るマルチキャリア無線システムの簡略図である。図１に示されるシステムは、ノードＢ１００と移動局１５０とを備える。ノードＢ１００は、２つのキャリア、即ち、ＤＬキャリア１及びＤＬキャリア２上で、データを移動局１５０に送信しており、且つ、２つのキャリア、即ち、ＵＬキャリア１及びＵＬキャリア２の各々上で、データを移動局１５０から受信している。以下に、より詳細に記載されるように、移動局１５０は、通常はＵＬキャリア２上で搬送される制御データと、通常はＤＬキャリア１に関連付られて、ＵＬキャリア１上で送信される制御チャネルデータとを結合するように構成されてもよい。このアプローチは、ＵＬキャリア２を「クリーンな」状態、即ち、高速パケットデータチャネルのみを搬送し、又は、高速パケットデータチャネルと共に非常に限られた量の制御チャネルデータのみを搬送する状態にし得る。同様のアプローチは、ノードＢ１００によって、ＤＬキャリア１及びＤＬキャリア２に関して採用されてもよい。
【００２１】
図２は、本発明の幾つかの実施形態に係る送受信器システム２００の機能的な要素を示す概略図である。本明細書では、概して、図１の移動局１５０といった移動局に関して記載されるが、当業者は、ノードＢ１００といった基地局が、おそらく幾分より複雑であっても同様の電気回路を備えることを理解するであろう。
【００２２】
いずれにしても、図２に図示される送受信器システム２００は、送信器セクション２１０と、受信セクション２５０と、制御処理セクション２９０とを備える。送信器セクション２１０は、送信器（ＴＸ）アナログ回路２２０と、キャリアＴ１処理回路２３０及びキャリアＴ２処理回路２４０とそれぞれ示される、送信用に変調されたキャリアを生成する、２つのキャリア処理回路とを備える。同様に、受信器セクション２５０は、受信器（ＲＸ）アナログ回路２６０と、キャリアＲ１処理回路２７０及びキャリアＲ２処理回路２８０と示される、受信されたキャリアを復調し復号するための２つのキャリア処理回路とを備える。
【００２３】
送信器回路２１０及び受信器回路２５０は、制御処理回路２９０によって制御される。制御処理回路２９０は、３ＧＰＰ  ＨＳＰＡ仕様書といった１つ以上の無線通信標準に準拠した、１つ以上のプロトコルスタックを特に実装するように構成される。具体的には、制御処理回路２９０は、図３に示される例示的な処理回路３００のようなデジタル処理回路を備えてもよい。
【００２４】
当業者は、ノードＢ１００又は移動局１５０で使用される処理回路の具体的な構成を変更し得ることを理解するであろうが、図３に示されるように、例示的な処理回路３００は、１つ又は複数のマイクロプロセッサ３１０、デジタル信号プロセッサ３２０等と共に、カスタムのデジタルハードウェア３３０を備える。これらの一部又は全部は、１つ以上の通信プロトコルと共に、本明細書に記載される特定のマルチキャリア制御データアグリゲーション技法（specific  multi-carrier  control  data  aggregation  techniques）を実行するように、適当なソフトウェア及び／又はファームウェアで設定されてよい。当業者はまた、１つ以上のマイクロプロセッサ３１０と、デジタル信号プロセッサ３２０と共に、他のデジタルハードウェア３３０が、単一の特定用途向け集積回路（ＡＳＩＣ）に含まれてもよいこと、又は、複数のプロセッサ３１０若しくは３２０及び／若しくは種々のデジタルハードウェア３３０が、個別にパッケージ化されるかシステムオンチップ（ＳｏＣ：system-on-a-chip）に組立てられるかを問わず、複数の別個のコンポーネントに割り振られてもよいことを理解するであろう。
【００２５】
いずれにしても、処理回路３００はさらに、プロセッサ３１０及び３２０による実行のためのプログラムコードで設定される、メモリ３３５（これはまた、全部又は一部が、単一のＡＳＩＣ上に、プロセッサ３１０及び３２０と他のハードウェア３３０と共に、又は、別個のコンポーネントと共に実装され得る）を備える。具体的には、メモリ３３５（フラッシュ、読み出し専用メモリ（ＲＯＭ）、光学式ストレージ、磁気ストレージ等といった種々のタイプを含み得る）は、制御データ処理コード３４０を備える。制御データ処理コード３４０は、マルチキャリアデータ送信において制御チャネルデータをアグリゲートするために、本明細書に記載される１つ以上の技法を実行する際に、プロセッサ３１０及び／又は３２０によって使用するためのプログラム命令を備える。メモリ３３５はさらに、他のプログラムコード３５０と、プログラム及び設定データ３６０とを備える。当業者は、従来のハードウェア及びソフトウェア設計技法を適用して、図３に図示されるものと類似した処理回路を用いて、本明細書に開示される種々の進歩的な（inventive）方法を実装してもよいことを理解するであろう。
【００２６】
図４は、物理チャネルのＨＳＰＡキャリアへの従来のマッピングを示す。この基本的なマッピングは、ＨＳＰＡシステムにおける、制御チャネルのアンカーキャリアへのアグリゲーションのための出発点である。図４は、２つのダウンリンクキャリア及び２つのアップリンクキャリアの場合、即ち、対称的なシナリオを示すが、一般に、任意のユーザに割り当てられるダウンリンクキャリア及びアップリンクキャリアの数は、同一である必要はない（非対称的なシナリオ）。さらに、本明細書に開示される制御チャネルアグリゲーション技法は、２つのキャリアのみを用いるシステムでの使用に制限されるわけではない。当業者であれば、これらの技法が３つ以上のキャリアと共に使用する場合に容易に適合され得ることを認識する。
【００２７】
図４に示される種々のチャネルの極めて簡単な説明を述べる。ダウンリンク上で、高速物理ダウンリンク共有チャネル（ＨＳ−ＰＤＳＣＨ：High-Speed  Physical  Downlink  Shared  Channel）は、１つ以上の移動局を送信先とするダウンリンクパケットデータを搬送し、高速共有制御チャネル（ＨＳ−ＳＣＣＨ：High-Speed  Shared  Control  Channel）は、変調フォーマット、使用されるチャネライゼーションコード、ＨＡＲＱ情報等といった、ＨＳ−ＰＤＳＣＨに関連する制御情報を搬送する。フラクショナル専用物理チャネル（Ｆ−ＤＰＣＨ：Fractional  Dedicated  Physical  Channel）は、移動局のアップリンク送信電力を制御するために用いられる電力制御コマンドを搬送する。複数のユーザの電力制御コマンドが、この１つのチャネルに多重化されるという意味で共有されている。Ｅ−ＤＣＨ絶対的許可チャネル（Ｅ−ＡＧＣＨ：E-DCH  Absolute  Grant  Channel）は、特定の移動局に、当該移動局がアップリンクで送信できる最大データレートを通知する絶対的許可を搬送し、Ｅ−ＤＣＨ相対的許可チャネル（Ｅ−ＲＧＣＨ：E-DCH  Relative  Grant  Channel）は、特定のユーザに、当該ユーザが現在許可されているレートを増加させ／減少させ／維持するべきかを通知する相対的許可を搬送する。最後に、Ｅ−ＤＣＨ  ＨＡＲＱインジケータチャネル（Ｅ−ＨＩＣＨ：E-DCH  HARQ  Indicator  Channel）は、特定の移動局に、トランスポートブロックがノードＢによって成功裏に受信されたかを通知するためのＡＣＫ／ＮＡＣＫを搬送し、共通パイロットチャネル（ＣＰＩＣＨ：Common  Pilot  Channel）は、全てのユーザにブロードキャストされるパイロットシンボルを搬送する。
【００２８】
アップリンク上で、Ｅ−ＤＣＨ専用物理データチャネル（Ｅ−ＤＰＤＣＨ：E-DCH  Dedicated  Physical  Data  Channel）は、アップリンクパケットデータを搬送し、Ｅ−ＤＣＨ物理制御チャネル（Ｅ−ＤＰＣＣＨ：E-DCH  Physical  Control  Channel）は、ＨＡＲＱ情報、トランスポートフォーマット、及びバッファステータス（例えば、「ハッピー」ビット（happy  bit））といったアップリンクＥ−ＤＰＤＣＨに関連する制御情報を搬送する。高速専用物理制御チャネル（ＨＳ−ＤＰＣＣＨ：High-Speed  Dedicated  Physical  Control  Channel）は、特定のトランスポートブロックが移動局において成功裏に受信されたか否かをノードＢに通知するためのＡＣＫ／ＮＡＣＫを搬送し、チャネル品質インジケータ（ＣＱＩ：Channel  Quality  Indicator）は、移動局によって観測されたチャネル品質を、ダウンリンクにおけるリンク適応（link  adaptation）及びスケジューリング時のノードＢの使用のために、ノードＢに通知すべく報告する。最後に、専用物理制御チャネル（ＤＰＣＣＨ：Dedicated  Physical  Control  Channel）は、ダウンリンクにおける専用チャネルの電力レベルを制御するための電力制御コマンド及びパイロットシンボルを少なくとも搬送する。
【００２９】
本発明の幾つかの実施形態において、複数のダウンリンクキャリアからのＦ−ＤＰＣＨ、Ｅ−ＡＧＣＨ、Ｅ−ＲＧＣＨ、及びＥ−ＨＩＣＨは、単一のダウンリンクアンカーキャリアにアグリゲートされる。その結果、これらの実施形態のうちの一部において、ダウンリンクキャリアは図５に示されるように構成されるが、ここでは、アンカーキャリア（ＤＬキャリア１）及び補足キャリア（ＤＬキャリア２）の双方についての対応する制御チャネルデータが結合され、アンカーキャリア、即ち、ＤＬキャリア１上で送信されるという意味において、５１０と表される制御チャネル信号の一群がアグリゲートされる。
【００３０】
図５に示される特定の構成において、２つの残りの制御チャネル（ＣＰＩＣＨ及びＨＳ−ＳＣＣＨ）は、補足キャリアの高速パケットデータチャネル（ＨＳ−ＰＤＳＣＨ）と共に、補足キャリア（ＤＬキャリア２）上に残存している。この制御情報は、ダウンリンクパケットデータチャネルに密接にカップリングされている（tightly  coupled）−例えば、ＣＰＩＣＨチャネルは、移動局に、伝搬路の状況を推定するための重要な情報を提供する。従って、このデータをアンカーチャネルに移動させることは、望ましくないか、実現不可能なことがある。しかしながら、ＤＬキャリア２は、この制御情報を帯域内で送信することによって、即ち、同一の拡散符号を用いて、ＨＳ−ＰＤＳＣＨ上で高速パケットデータとこの制御データを時間多重することによって、依然として、完全に「クリーンなキャリア（clean  carrier）」（即ち、符号多重化された制御チャネルを有さない）として送信されてもよい。これにより、補足キャリア上にはダウンリンクパケットデータチャネルのみが実質的に残されることになるであろう。当業者は、１つ以上の制御チャネルを高速パケットデータチャネルと時間多重するための種々の技法があり得ることを理解するであろう。
【００３１】
アップリンクの場合、本発明の幾つかの実施形態において、２つ以上のアップリンクキャリア上のＤＰＣＣＨ（電力制御コマンド）からの制御情報の一部が、単一のアップリンクアンカーキャリア上にアグリゲートされる。また、２つ（又は、２つ以上）のアップリンクキャリアからのＨＳ−ＤＰＣＣＨ制御情報がアグリゲートされてもよい。（２つのキャリアについてのＨＳ−ＤＰＣＣＨ情報のアグリゲーションは、３ＧＰＰのリリース８標準によって現在カバーされている。）アグリゲーションの後、これらの実施形態におけるアップリンクキャリアは、図６に示されるように構成される。ここでは、補足アップリンクキャリア（ＵＬキャリア２）のＤＰＣＣＨのパイロットを除く全てとＨＳ−ＤＰＣＣＨとが、アンカーキャリア（ＵＬキャリア１）についての対応するデータと結合され、６１０で示されるように、アンカーキャリア上で送信される。
【００３２】
図５に示されるダウンリンク構成と同様に、図６は、補足キャリア上の２つの残りの制御チャネル、即ち、Ｅ−ＤＰＣＣＨと、ＤＰＣＣＨからのパイロット６２０とを示す（ＵＬキャリア２）。この場合も、この制御情報は、アップリンクパケットデータチャネル（Ｅ−ＤＰＤＣＨ）と密接にカップリングされている。再び、ＵＬキャリア２を（符号多重された制御チャネル無しの）完全にクリーンなキャリアとして正確に構成するために、この制御情報は帯域内で送信され得る（即ち、同一の拡散符号上に時間多重され得る）。これにより、補足キャリア上にはアップリンクパケットデータチャネルのみが実質的に残されることになる。この場合も、種々の技法を用いて、制御情報のこの帯域内シグナリングを提供してもよい。
【００３３】
以下は、複数のキャリアからの制御情報を単一のアンカーキャリア上にアグリゲートするための幾つかの技法の詳細な説明である。これらの技法は、ダウンリンク及びアップリンクの双方において特定のＨＳＰＡチャネルに適用される。しかしながら、当業者は、これらの技法のうちの幾つかが、以下で議論されるものとは異なる制御チャネルに適合されてもよいことを認識するであろう。さらに、これらの技法は、マルチキャリアＨＳＰＡシステムへの適用に限定されず、他のマルチキャリアシステムにも同様に適用されてもよい。
【００３４】
図５を再び参照すると、ダウンリンクアンカーキャリアにアグリゲートされるべき制御情報は、Ｅ−ＡＧＣＨ、Ｅ−ＲＧＣＨ、Ｅ−ＨＩＣＨ、及びＦ−ＤＰＣＨによって搬送される。これらは以下の議論において別個に扱われる。
【００３５】
Ｅ−ＤＣＨ絶対的許可チャネル（Ｅ−ＡＧＣＨ）は、図７に示されるようなフレーム構造を備える、固定レート（３０キロビット／秒、拡散率は２５６）のダウンリンク物理チャネルである。絶対的許可メッセージ（即ち、Ｅ−ＡＧＣＨ制御情報）は、２ミリ秒のサブフレームにつき、６０個の符号化ビットから成る−これらの６０個のビットは、特定の移動局をターゲットとしている。絶対的許可は、移動局に、当該移動局が送信時に許可される最大のデータレートを通知する。3rd  Generation  Partnership  Project,  "Multiplexing  and  channel  coding  (FDD)",  3GPP  TS  25.212,  version  8.3.0  Release  8,  September  2008に示されるように、６０個の符号化ビットは、図８に示される一般的なコーディングチェーンに従って生成される。
【００３６】
図８に示されるように、６ビットの絶対的許可メッセージは、ブロック８１０に示されるように、５個の絶対的許可値ビット（xavg.1−xavg.5）を１つの絶対的許可範囲ビット（xags.1）と多重化することによって形成される。ブロック８３０、８４０、及び８５０にそれぞれ示される符号化、レートマッチング、及び物理チャネルマッピングに先立って、ブロック８２０に示されるように、特定の移動局は、１６ビットのＵＥ固有の巡回冗長検査（ＣＲＣ：cyclic  redundancy  check）シーケンスを６ビットの絶対的許可メッセージ（xag.1−xag.6）に付加することでアドレス指定される。ＵＥ固有のＣＲＣシーケンスは、６ビットの許可メッセージから生成されるＣＲＣシーケンスを、Ｅ−ＲＮＴＩ（E-DCH  Radio  Network  Temporary  Identifier：Ｅ−ＤＣＨ無線ネットワーク仮識別子）と呼ばれる、ネットワークによって移動局に割り当てられる、ＵＥ固有の識別子（ＩＤ）シーケンスでマスキングすることによって生成される。
【００３７】
全ての移動局は、同一のＥ−ＡＧＣＨチャネルをリッスンし、当該Ｅ−ＡＧＣＨチャネルを復号しようと試みる。しかしながら、ＵＥ固有のＣＲＣを生成するために使用されたＩＤと一致するＩＤを有する移動局のみが、許可メッセージを成功裏に復号することができるであろう。他の全ての移動局においては、ＣＲＣチェックは失敗するであろう。このようにして、絶対的許可メッセージは、意図されたＵＥのみが利用可能となる。
【００３８】
本発明の幾つかの実施形態において、複数のダウンリンクキャリアからの全てのＥ−ＡＧＣＨ制御シグナリングは、アンカーキャリアにアグリゲートされる。同じ（又は少ない）総数のＥ−ＡＧＣＨが維持されてもよい。即ち、各キャリアについて個別の絶対的許可メッセージが維持されてもよい。各キャリアについての絶対的許可メッセージは、ユーザ固有であり且つキャリア固有である移動局識別子シーケンス（Ｅ−ＲＮＴＩｓ）を割り当てることによって区別され得る。割り当ては、ネットワークと移動局との間で、各Ｅ−ＲＮＴＩがどのキャリアに対応するかに関して共通の理解があるようになされる。従って、移動局は、その２つ以上のＥ−ＲＮＴＩの各々を用いて「デマスクされた（de-masked）」受信されたＣＲＣビットに対応する、２つ（又は２つ以上）のＣＲＣシーケンスを用いて、各Ｅ−ＡＧＣＨメッセージを復号しようと試みることができる。このようにして、これらのＣＲＣのうちの１つが、意図された移動局において成功裏にチェックされるたびに、移動局は、絶対的許可メッセージがどのキャリアに対応するかを把握する。
【００３９】
１つの例において、ネットワークが絶対的許可メッセージを特定の移動局に２つのキャリアについて送信することを望んでいると仮定する場合、且つ、２つの割り当てられたＩＤシーケンスが、キャリア１に対応するＥ−ＲＮＴＩ１とキャリア２に対応するＥ−ＲＮＴＩ２であるとさらに仮定する場合、ネットワークは、符号分割多重化を用いて、同一のサブフレームにおいて同時に２つの異なるＥ−ＡＧＣＨチャネライゼーションコードを使用して、２つの絶対的許可メッセージを同一の移動局に送信することができる。この例において、Ｅ−ＲＮＴＩ１は第１のＥ−ＡＧＣＨチャネライゼーションコードに用いられ、Ｅ−ＲＮＴＩ２は第２のＥ−ＡＧＣＨチャネライゼーションコードに用いられる。あるいは、ネットワークは、２つの絶対的許可メッセージを、同一の移動局に同一のＥ−ＡＧＣＨチャネライゼーションコードでシグナリングし得る。ただし、異なるサブフレームの期間中に、即ち、時分割多重化を用いてである。当業者は、符号分割多重アグリゲーションスキームを用いれば、ネットワークと移動局との間に、どのＥ−ＡＧＣＨチャネライゼーションコードがどのキャリアに対応するのかについて、共通の「理解（understanding）」（即ち、静的に設定されようと動的に設定されようと、所定の関係）がある限り、１つのＥ−ＲＮＴＩのみを各ユーザに用いることが可能なことを理解するであろう。
【００４０】
上述した符号分割多重化アグリゲーションスキーム又は時分割多重化アグリゲーションスキームの別の代替案は、単一のＥ−ＲＮＴＩ及び単一のＥ−ＡＧＣＨチャネライゼーションコードのみが用いられるが、２つ以上のキャリアからのＥ−ＡＧＣＨメッセージビット（例えば、図７の入力値）が単一のメッセージにアグリゲートされるアプローチである。幾つかの実施形態において、この結合されたメッセージは、シングルキャリアＨＳＰＡ実装について用いられるのと同じ数のトータルビット（例えば、６個）を含み得る。他の場合、増加された数のトータルビット（例えば、７個以上）が用いられる。いずれの場合も、この後者のアプローチは概して、シグナリングされるインデックスを電力オフセット（最終的には送信レート）にマッピングする、（つまり、３ＧＰＰ  ＴＳ  ２５．２１２、ｖ．８．３．０に定義されるテーブルと比較して）新たな絶対的許可テーブルの設計を要する。特に幾つかの実施形態において、シグナリングされるインデックスは、テーブル内のインデックスの絶対的な位置に応じて、許可が単一のキャリアだけに与えられたのか複数のキャリアに与えられたのかを示し得る。
【００４１】
Ｅ−ＤＣＨ相対的許可チャネル（Ｅ−ＲＧＣＨ）は、図９に示されるフレーム構造を有する、固定レート（拡散率１２８）のダウンリンク物理チャネルである。相対的許可メッセージ（即ち、Ｅ−ＲＧＣＨによって搬送される制御情報）は、２ミリ秒のサブフレームにつき３つの値を有する長さ１２０シーケンスから成り、そのようなシーケンスの各々が特定の移動局をターゲットとする。相対的許可は、例えば、ＤＰＣＣＨに関連する電力オフセットの大きな変更（step  change）の必要性を示すことによって、移動局のデータレートを増加させ、維持し、又は減少させるかどうかを移動局に通知する。3rd  Generation  Partnership  Project,  "Physical  channels  and  mapping  of  transport  channels  onto  physical  channels  (FDD)",  3GPP  TS  25.211,  version  8.2.0  Release  8,  October  2008に詳細に示されるように、特定の移動局は、異なる長さ１２０の特徴的配列を異なる移動局に割り当てるネットワークによって、アドレス指定される。標準によって４０個の異なるシグネチャが定義されているが、これは１つのＥ−ＲＧＣＨチャネルが４０の異なるユーザをアドレス指定することが可能なことを意味する。１つのセルに４０を超えるユーザが存在する場合、付加的なチャネライゼーションコードを用いて付加的なＥ−ＲＧＣＨチャネルが定義されるが、この各々は付加的な４０のユーザをアドレス指定することが可能である。
【００４２】
ｌ番目の長さ１２０のシグネチャシーケンスは、次のように定義される：
【００４３】
【数１】
0005969579.tif 000002
【００４４】
ここで、シーケンスｃｉ、ｃｊ及びｃｋは、４０個の異なる長さ４０の基本シーケンスのセットから選ばれ、全てが±１の値を有する。基本のセットは、シーケンス間で低い相互相関を有するように設計される。ユーザごと（ｌごと）に、異なる値ｉ、ｊ、ｋが割り当てられる。例えば、第１のユーザについて、ｉ＝０、ｊ＝２、ｋ＝１３の値が割り当てられてもよく、第２のユーザについて、ｉ＝１、ｊ＝１８、ｋ＝１８の値が割り当てられるなどしてもよい。
【００４５】
第ｌ番目のユーザについてＥ−ＲＧＣＨ上で送信される実際のシーケンスは、ａｓｉとして与えられるが、ここで、ａは相対的許可メッセージそれ自体である。相対的許可メッセージは、現在許可されているレートについて、制御メッセージが増加、維持、又は減少であるかに応じて、３つの可能値、＋１、−１、又は０をとることができる。
【００４６】
最大で４０個の異なる移動局が同一のＥ−ＲＧＣＨチャネルをリッスンし、受信された信号と移動局に割り当てられたシグナチャシーケンスｓｌとの相関演算をすることで、シグナリングされたＥ−ＲＧＣＨメッセージを受信しようと試みる。Ｅ−ＲＧＣＨメッセージを生成するのに用いられたものと一致するシグネチャシーケンスを有する移動局のみが、大きな（正の又は負の）相関値を検出するであろう。大きな正の値が得られた場合、移動局はそのレートを増加させる。大きな負の値が得られた場合、移動局はそのレートを減少させる。小さな相関値が得られた場合、移動局は当該移動局がアドレス指定されていないか、アドレス指定されているが相対的許可メッセージは「維持」であることを把握する。このようにして、相対的許可メッセージは、意図された移動局だけに利用可能となる。
【００４７】
本発明の幾つかの実施形態において、複数のダウンリンクキャリアからの全てのＥ−ＲＧＣＨ制御シグナリングは、アンカーキャリア上にアグリゲートされる。これらの実施形態の中には、同じ総数のＥ−ＲＧＣＨが維持されるものもあれば、より少ない数の別個のＥ−ＲＧＣＨが維持されるものもある。しかしながら、いずれの場合も、長さ１２０のシグネチャシーケンスの割り当ては、移動局固有であり且つキャリア固有であり得る。割り当ては、ネットワークと移動局との間で、各シグネチャシーケンスがどのキャリアに対応するのかについて共通の理解（即ち、静的に設定されようと動的に設定されようと、所定の関係）があるようになされる。
【００４８】
例えば、ネットワークが相対的許可メッセージを特定の移動局に２つのキャリアについて送信することを望んでいると仮定する場合、且つ、この移動局についての２つの割り当てられたシグネチャシーケンスが、（アップリンク）キャリア１に対応するｓ０と、（アップリンク）キャリア２に対応するｓ１であると仮定する場合、ネットワークは、例えば符号分割多重を用いて、２つの異なるＥ−ＲＧＣＨチャネライゼーションコードを同一のサブフレームで同時に用いて、２つの相対的許可メッセージを同一の移動局にシグナリングしてもよい。この例において、シグネチャシーケンスｓ０は第１のＥ−ＲＧＣＨチャネライゼーションコード上で用いられる一方で、シグネチャシーケンスｓ１は第２のＥ−ＲＧＣＨチャネライゼーションコード上で用いられる。あるいは、ネットワークは、２つの相対的許可メッセージを同一のＵＥに同一のＥ−ＲＧＣＨチャネライゼーションコード上でシグナリングしてもよい。ただし、異なるサブフレームの期間中に、即ち、時分割多重化を用いてである。この別のアプローチによれば、シグネチャシーケンスｓ０は第１のサブフレーム期間中に用いられ、シグネチャシーケンスｓ１は第２のサブフレーム期間中に用いられるであろう。ＣＤＭＡアグリゲーションスキームの場合、ネットワークと移動局との間に、どのＥ−ＲＧＣＨチャネライゼーションコードがどのキャリアに対応するかについて共通の理解があるならば、ユーザごとに１つのシグネチャシーケンスｓ１のみを用いることが可能であることに留意されたい。
【００４９】
Ｅ−ＤＣＨハイブリッドインジケータチャネル（Ｅ−ＨＩＣＨ：E-DCH  Hybrid  Indicator  Channel）は、Ｅ−ＲＧＣＨ（図９を参照）と全く同じフレーム構造を有する固定レート（拡散率１２８）のダウンリンク物理チャネルである。ＡＣＫ／ＮＡＣＫメッセージ（即ち、Ｅ−ＨＩＣＨ制御情報）は、特定の移動局をターゲットとする、２ミリ秒のサブフレームにつき３つの値を有する長さ１２０のシーケンスから成る。ＡＣＫ／ＮＡＣＫは、移動局によって先に送信された対応するデータが基地局によって正確に受信されたか否かを、移動局に通知する。
【００５０】
Ｅ−ＨＩＣＨについてのシグネチャシーケンス及び制御メッセージは、Ｅ−ＲＧＣＨの場合と全く同じ方法で生成され及び検出される。唯一の相違点は、アドレス指定された移動局による制御メッセージの解釈の仕方である。＋１の値はデータが正確に受信されたことを示し、−１の値はエラーが発生し、それ故に再送信を必要とすることを示す。０（ゼロ）の値は、（ＡＣＫとは対照的に）「標識無し（no  indication）」として非サービングセル（non-serving  cells）によってのみ用いられる。移動局がＥ−ＲＧＣＨ制御メッセージとＥ−ＨＩＣＨ制御メッセージとを区別できるように、１つ（又は複数）の異なるチャネライゼーションコードが２つの制御チャネルのそれぞれに用いられるか、又は、Ｅ−ＨＩＣＨ及びＥ−ＲＧＣＨを指定する４０個のシグネチャシーケンスのセットの異なるサブセットと共に、同一のチャネライゼーションコードが用いられる。
【００５１】
本発明の幾つかの実施形態において、Ｅ−ＲＧＣＨについて上述した方法と同じ方法は、複数のダウンリンクキャリアからのＥ−ＨＩＣＨ制御シグナリングをアンカーキャリア上にアグリゲートするためにも用いられる。つまり、シグネチャシーケンスの割り当ては、移動局固有であり且つキャリア固有であるようになされる。さらに、上述したように、符号分割多重化アプローチ又は時分割多重化アプローチのいずれかを用いて、複数のキャリアからの制御情報がアグリゲートされる。
【００５２】
フラクショナル専用物理チャネル（Ｆ−ＤＰＣＨ：Fractional-Dedicated  Physical  Channel）は、図１０に示されるスロット構造を有する、固定レート（拡散率２５６）のダウンリンク物理チャネルである。Ｆ−ＤＰＣＨ上で搬送される制御情報は、最大で１０個の異なるユーザについての送信電力制御（ＴＰＣ：transmit  power  control）コマンドから成る。１スロットあたりのビットの総数は２０であり、各ユーザのＴＰＣコマンドは２ビット長である。スロット内の特定の２ビットのＴＰＣコマンドの位置は、図１０に示されるように、ＮＯＦＦ１ビット及びＮＯＦＦ２ビットの対応する数を定義することによって決定される。ユーザごとに異なる値のＮＯＦＦ１及びＮＯＦＦ２を割り当てることによって、１スロットあたり１０個のサブスロットが効率的に作られる。このようにして、１０人の異なるユーザについてのＴＰＣコマンドは、同一のＦ−ＤＰＣＨ上に時間多重され得る。１つのセルにこれよりも多くのユーザが存在する場合、付加的なチャネライゼーションコードを用いて、付加的なＦ−ＤＰＣＨチャネルが定義され、この各々が１０人の付加的なユーザをアドレス指定することが可能である。
【００５３】
本発明の幾つかの実施形態において、複数のダウンリンクキャリアからの全てのＦ−ＤＰＣＨ制御シグナリングはアンカーキャリア上にアグリゲートされる。同じ総数（または、より少ない数）のＦ−ＤＰＣＨが維持される。但し、各Ｆ−ＤＰＣＨにおけるサブスロットの割り当ては、移動局固有であり且つキャリア固有である。割り当ては、ネットワークと移動局との間に、各サブスロットがどのキャリアに対応するのかについて共通の理解（即ち、静的に設定されようと動的に設定されようと、所定の関係）が存在するようになされる。
【００５４】
例えば、ネットワークはＴＰＣメッセージを特定の移動局に２つのキャリアについて送信することを望んでいると仮定する場合、且つ、当該移動局についての２つの割り当てられたサブスロットは、キャリア１に対応するサブスロット‐０とキャリア２に対応するサブスロット‐１であるとさらに仮定する場合、幾つかの実施形態において、ネットワークは、同一のスロット中の２つの割り当てられたサブスロットを用いて、即ち、時分割多重化を用いて、各キャリアについてのＴＰＣメッセージを同一の移動局にシグナリングする。あるいは、２つの異なるＦ−ＤＰＣＨ上のサブスロット‐０が、同一の移動局に割り当てられてもよい。この場合、ネットワークは、２つのＴＰＣメッセージを同時にシグナリングするように構成されてもよい。ただし、２つの異なるチャネライゼーションコードを用いて、即ち、符号分割多重化を用いてである。この符号分割多重化アプローチによれば、ネットワークと移動局との間に、どのＦ−ＤＰＤＣＨチャネライゼーションコードがどのキャリアに対応するのかについて、共通の理解がある必要がある。この場合も同様に、種々の実施形態において、この所定の関係は静的に又は動的に設定され得る。
【００５５】
幾つかの実施形態において、アップリンク側では、アップリンクアンカーキャリア上でアグリゲートされるべき制御情報は、ＤＰＣＣＨ及びＨＳ−ＤＰＣＣＨによって搬送される制御情報である。（図６を参照。）ＨＳ−ＤＰＣＣＨ制御情報のアグリゲーションの詳細は、本明細書において詳細に記載されない。なぜなら、少なくとも１つのアグリゲーション技法が、現在のリリース８  ３ＧＰＰ標準で取り上げられているからである。実際、標準化の議論の間に、幾つかの特定のアグリゲーション方法が提案された。従って、幾つかの合理的な方法は既に当業者に知られている。このため、以下の議論は、ＤＰＣＣＨ制御情報のアグリゲーションについてのみ焦点を合わせる。
【００５６】
ＤＰＣＣＨは、少なくとも２つの制御情報、即ち、伝搬チャネルの状況を推定するために基地局によって用いられる専用パイロットシンボルと、種々のダウンリンク信号を電力制御するための送信電力制御（ＴＰＣ）コマンドとを搬送する。実際、パケットデータのみのシナリオの場合、即ち、Ｅ−ＤＰＤＣＨのみが送信される状況の場合、レガシーの専用物理データチャネル（ＤＰＤＣＨ）が無ければ、ＤＰＣＣＨはパイロット及びＴＰＣコマンドのみを搬送する。（これは、閉ループ送信ダイバーシチが無効である場合にまさに当てはまるので、送信重みを設定するために用いられるフィードバック情報ビットの必要性が無くなる。）パイロットは一般に、同一のキャリア上に残存して各キャリア上のＥ−ＤＰＤＣＨの復調をサポートしなければならないため、パイロットをアンカーキャリア上にアグリゲートすることはできない。しかしながら、ＴＰＣビットをアンカーキャリア上にアグリゲートすることはできる。
【００５７】
図１１は、アップリンクＤＰＣＣＨの構造を示す。ＤＰＤＣＨは設定されないため、フィードバック情報（ＦＢＩ：feedback  information）ビットはゼロであり（ＮＦＢＩ＝０）、トランスポートフォーマット結合インジケータ（ＴＦＣＩ：transport  format  combination  indicator）ビット（ＮＴＦＣＩ＝０）と仮定すると、２つのＤＰＣＣＨスロットフォーマットが利用可能である：（１）６個のパイロットビット（Ｎｐｉｌｏｔ＝６）と４個のＴＰＣビット（ＮＴＰＣ＝４）を有するスロットフォーマット＃４、及び（２）８個のパイロットビット（Ｎｐｉｌｏｔ＝８）と４個のＴＰＣビット（ＮＴＰＣ＝２）を有するスロットフォーマット＃１。
【００５８】
本発明の幾つかの実施形態において、２つ以上のダウンリンクキャリア上のＤＰＣＣＨからの全てのＴＰＣコマンドは、アンカーキャリア上にアグリゲートされる。２つのアップリンクキャリアの場合、これは４個のＴＰＣビットを有するＤＰＣＣＨスロットフォーマット＃４を用いて容易に実現され得る。この場合、最初の２つのビットは、キャリア１についてのＴＰＣコマンドをシグナリングするために用いられ、最後の２つのビットは、キャリア２についてのＴＰＣコマンドをシグナリングするために用いられ得る。
【００５９】
同様に、４つのキャリアの場合、４つのＴＰＣビットは、１つのキャリアにつき１つのビットのみを用いて、ＴＰＣコマンドをシグナリングするために用いられ得る。しかしながら、これは信頼性のあるＴＰＣ検出を確実にするために、ＤＰＣＣＨ電力を増加させることを要するであろう。あるいは、２つのＤＰＣＣＨチャネルを、２つのチャネライゼーションコードを用いて設定し及び送信して、８つのＴＰＣビットへのアクセスを与えてもよい。このアプローチによれば、第１のＤＰＣＣＨは、例えば１つのキャリアについて２つのビットを用いて、最初の２つのキャリアについてのＴＰＣコマンドをシグナリングするために用い得る。また、第２のＤＰＣＣＨは、第３及び第４のキャリアについてのＴＰＣコマンドシグナリングするために用いられ得る。随意的に、第２のＤＰＣＣＨ上のパイロットビットは、電力を節約するためにオフにされ得る。２つのＤＰＣＣＨチャネルが１つのチャネライゼーションコードによってのみ分けられる、この後者のアプローチでは、ネットワークと移動局との間で、どのＤＰＣＣＨチャネライゼーションコードがどの１つ又は複数のキャリアに対応するのかについて、共通の理解がある必要がある。
【００６０】
当業者は、マルチキャリアシステムの複数のキャリアに対応する制御情報を単一のアンカーキャリア上にアグリゲートするための上述した詳細な技法が、１つ以上の補足キャリアをパケットデータのみの送信のために最適化することを可能にし得ることを理解するであろう。換言すれば、上述したように、「クリーンな（clean）」キャリアを設定することで、設定しない場合に可能なデータレートよりも高いデータレートの実際的な実現を容易にし得る。より一般的に言えば、結果として得られるクリーンなキャリアは、パフォーマンスの改善、柔軟性、及び／又は効率性の組み合わせを提供する、進化したデータ指向の機能を実装することを実現するものである。それに応じて、制御情報のアンカーキャリア上へのアグリゲートは、同一チャネルの高データレートのパケットデータチャネルによって生じる過剰な干渉から制御情報を保護して、制御チャネルデータについての信頼性の改善をもたらす可能性がある。
【００６１】
幾つかの具体的なアグリゲーション技法が、ＨＳＰＡシステムのコンテキストで、多くの場合、特に２つのキャリアのＨＳＰＡシステムのコンテキストで上述されているが、当業者はまた、これらの技法が、アップリンク、ダウンリンク、又はこれらの双方上に２つ以上のアグリゲートされたキャリアを有するマルチキャリアシステムに対して、より一般的に適用され得ることを理解するであろう。従って、図１２の処理フロー図は、個別のアウトバウンドパケットデータトラフィックチャネルが各送信キャリア信号にマッピングされ、個別のインバウンドパケットデータトラフィックチャネルが少なくとも第１及び第２の受信キャリア信号の各々にマッピングされるシナリオにおいて、データを２つ以上の送信キャリアの各々を介して遠隔ノードに送信するための一般的な方法を示す。図１２に示される特定の方法は、基地局ノードにおける実装に適している。但し、本質的に同一の方法は、「アップリンク」キャリア及び「ダウンリンク」キャリアへの言及を単に反転させることによって、移動局において実装されてもよい。
【００６２】
図示の方法は、ブロック１２１０に示されるように、第１及び第２のアップリンクキャリア信号を受信することから始まり、各キャリア信号は個別のインバウンドパケットデータトラフィックチャネルを搬送する。ブロック１２２０に示されるように、第１のアップリンクキャリア信号に対応する制御チャネルデータは、第２の受信キャリア信号に対応する同様の制御チャネルデータと結合される。ブロック１２３０に示されるように、トラフィックチャネルデータは第１及び第２のダウンリンクキャリア信号の各々で（例えば、キャリアごとの個別のＨＳ−ＰＤＳＣＨを介して）同時に送信されるが、ブロック１２４０に示されるように、結合された制御チャネルデータは、（ダウンリンクについての「アンカー」キャリアとみなされ得る）第１のダウンリンクキャリア信号でのみ送信される。
【００６３】
幾つかの実施形態において、第２の（補足の）キャリア信号で送信される個別の物理制御チャネルは存在しない。これらの実施形態において、第２のキャリア信号は完全に「クリーン」であり、同一キャリア上の制御チャネルへの干渉を懸念することなく、第２のキャリア信号によって搬送されるパケットデータチャネルの非常に高いデータレートの使用を容易にする。（完全にクリーンなキャリアは、以下に記載するように、密接にカップリングされた制御チャネルデータの帯域内シグナリングによってのみ実現することができる。この制御情報は、高速パケットデータをサポートするために、どのような形にせよ常にシグナリングされなければならない。）しかしながら、他の実施形態において、１つ以上のタイプの制御チャネルデータは、各キャリア上のダウンリンクパケットデータチャネルに密接にカップリングされ（closely  coupled）得るので、ブロック１２５０に示されるように、第２のダウンリンクキャリア信号上のこの密接にカップリングされた制御チャネルデータを送信することが有利になる。このシナリオにおいて、第２のダウンリンクキャリア信号は、部分的に「クリーンにされる（cleaned）」にすぎない。しかしながら、先に議論したように、この密接にカップリングされた制御チャネルを「帯域内で」移動させる種々の技法、即ち、制御チャネルデータを高速パケットデータと時間多重することを用いて、補足キャリア上の符号分離された（code-separated）物理制御チャネルの必要性を完全に取り除き得る。
【００６４】
送信アンカーキャリア上で結合され得る制御チャネルデータのタイプは、次のいずれかを含むが、これらに限定されるわけではない：少なくとも第１及び第２の受信キャリア信号の各々に対応する電力制御コマンド；少なくとも第１及び第２の受信キャリア信号の各々に対応する絶対的許可データであって、対応する受信キャリア信号についてのインバウンドパケットデータトラフィックチャネル上での送信についての最大データレートを示す絶対的許可データ；少なくとも第１及び第２の受信キャリア信号の各々に対応する相対的許可データであって、対応する受信キャリア信号に対応するインバウンドパケットデータトラフィック上での送信についてのデータレートにおける変化を示す相対的許可データ；少なくとも第１及び第２の受信キャリア信号の各々で受信されるパケットデータに対応する、肯定応答データ（ＡＣＫ）、否定応答データ（ＮＡＣＫ）、又はこれらの双方；及び、少なくとも第１及び第２の受信キャリア信号の各々に対応するチャネル品質データ。
【００６５】
第１及び第２の受信（即ち、インバウンド）キャリア信号に対応する制御チャネルデータが送信（即ち、アウトバウンド）キャリア信号上での送信のためにアグリゲートされる制御チャネルアグリゲーション技法を図１２の処理フローが示すことを、当業者は理解するであろう。２つ以上の送信（アウトバウンド）キャリア信号の各々に対応する制御チャネルデータはまた、単一の送信キャリア信号上にアグリゲートされ且つ送信され得る。従って、例えば、２つの送信キャリアの各々上のパケットデータチャネルに用いられる変調及び／又は符号化スキームを定義するトランスポートフォーマット情報は、例えば、２つの受信キャリア信号に対応するＨＡＲＱフィードバック（即ち、ＡＣＫ及び／又はＮＡＣＫ）と共に、単一のアンカーキャリア上に結合され且つ送信されてもよい。２つ以上の送信キャリア信号の各々上のアウトバウンドパケットデータチャネルに対応する制御チャネルデータの他の例は、２つ以上の送信キャリア信号の各々についてのアウトバウンドパケットデータトラフィックチャネルに対応する送信バッファステータスデータと、アウトバウンドパケットデータトラフィックチャネルの各々についてのアウトバウンドパケットデータトラフィックチャネルに対応する自動再送要求処理データ（例えば、処理識別子）とを含むが、これに限定されるものではない。これらの一部又は全部が、本発明の種々の実施形態において、単一のアンカーキャリア上にアグリゲートされ且つ送信されてもよい。
【００６６】
上述したように、場合によっては、２つ以上のキャリアからの他の制御データが単一のキャリア上に送信のためにアグリゲートされるとしても、ある制御データ、特にパイロットシンボルを、当該制御データに対応するパケットデータチャネルと同じキャリア上に残すことは有利であり得る。幾つかの実施形態において、この残りの制御データは、少なくとも１つのキャリア信号上で、アウトバウンドパケットデータトラフィックチャネルと時間多重されて、トラフィックデータと制御データとの双方を含むアウトバウンド結合物理チャネルを形成し得る。この結合物理チャネルは、次いで、拡散符号で拡散されてアウトバウンドスペクトル拡散信号を形成し、キャリア上で送信されることができる。このようにして、単一の拡散符号信号のみが送信される、完全に「クリーンな」キャリアを形成することができる。
【００６７】
２つのキャリアからの制御データを結合して、アグリゲートされた制御チャネルデータを形成するための２つの具体的な方法は、図１３及び図１４に示される。言うまでもなく、これらの方法は一例にすぎない。当業者は、これらの方法の変形もまた可能であることを理解するであろう。
【００６８】
図１３の処理フローに示される方法において、２つのキャリア信号の各々からの制御チャネルデータは、巡回冗長検査（ＣＲＣ）データといった誤り検出符号を含むか、又は、誤り検出符号を形成するように処理される。第１のキャリアについての制御チャネルデータのＣＲＣは、ブロック１３１０に示されるように、第１の識別子（例えば、Ｅ−ＲＮＴＩ）でマスクされる。同様に、第２のキャリアについての制御チャネルデータのＣＲＣは、ブロック１３２０に示されるように、第２の識別子（例えば、Ｅ−ＲＮＴＩ）でマスクされる。次に、ブロック１３３０に示されるように、第１及び第２のマスクされたＣＲＣは、それぞれ第１及び第２のチャネライゼーションコードを用いて符号分割多重化されて、単一のアンカーキャリア上での送信のために個別の物理チャネルを形成する。
【００６９】
図１３に示されるスキームによれば、受信ノード（例えば、ダウンリンク送信の場合には、移動局）は、どの制御チャネルデータが第１及び第２のキャリアの各々に対応するのかを、第１及び第２の識別子を用いて識別することができる。第１及び第２の識別子は、受信ノードによって、所定の関係に従って第１及び第２のキャリア信号に対応することが把握されている。（この関係は静的に定義されてもよい。その場合、上記関係は受信ノードに「ハードコードされ（hard-coded）」）てもよいし、又は、例えばサービング基地局によって移動局にブロードキャストされる設定データを用いて動的に設定されてもよい。）あるいは、受信ノードは、どの制御チャネルデータがどのキャリアに対応するのかを第１及び第２のチャネライゼーションコードを用いて判定してもよい。幾つかの実施形態において、第１及び第２のチャネライゼーションコードが第１及び第２のキャリアに対応することは受信ノードにより把握され得る。（この場合も、この所定の関係は静的に又は動的に設定されてもよい。）実際、図１３に示される方法の変形例において、単一のＥ−ＲＮＴＩのみが第１及び第２のＣＲＣの双方をマスクするために用いられる。というのは、受信ノードは、受信された制御チャネルデータを、データを拡散するために用いられたチャネライゼーションコードを用いて、適当なキャリアにマッチングすることができるからである。
【００７０】
制御チャネルデータをアグリゲートするための別の技法は、図１４の処理フローに示される。図１３に示される方法と同様に、第１及び第２のキャリア信号にそれぞれ対応する、第１及び第２の制御チャネルデータの各々についての誤り検出符号（例えば、ＣＲＣデータ）は、それぞれ第１及び第２の識別子（例えば、移動局に割り当てられたＥ−ＲＮＴＩ）でマスクされる。これは、図１４においてブロック１４１０及び１４２０に示される。ブロック１４３０に示されるように、（対応する制御チャネルデータそれ自体に加えて）マスクされた誤り検出符号は時分割多重化される。この時分割多重化されたデータは、次いで、アンカーキャリア上での送信のためにチャネライゼーションコードを用いて拡散され得る。この場合、受信ノードは、特定のＣＲＣデータストリングが、受信ノードに対応する識別子でマスクされており、且つ、特定のキャリアに対応することが受信ノードによって把握されていることを検出することによって、どの制御チャネルデータがどのキャリア信号に対応するのかを判定することができる。従って、例えば、移動局には、２つのキャリア信号の各々について特定のＥ−ＲＮＴＩが割り当てられていてもよい。特定の制御チャネルデータセグメントが当該Ｅ−ＲＮＴＩでマスクされていることを検出することは、対応するアンカーチャネルを直接示すことになる。あるいは、幾つかの実施形態において、受信ノードは、どのキャリア信号が特定の制御チャネルデータエレメントに対応するかを、時分割多重化されたシーケンスにおけるデータの位置に基づいて判定するように構成されてもよい。これらの実施形態において、単一の識別子を用いて、双方のキャリアについての制御チャネルデータの誤り検出符号をマスクしてもよい。というのは、データを識別するために個別の識別子は必要ではないからである。
【００７１】
１つのアンカーキャリア上での送信のために制御チャネルデータをアグリゲートする別の技法は図１５に示される。図示された処理フローは、ＨＳＰＡシステムにおけるＥ−ＲＧＣＨデータのアグリゲーションについて上述された具体的な方法を幾らか一般化した技法を示す。図示された処理は、ブロック１５１０に示されるように、第１のキャリア信号（例えば、第１のキャリアについてのＥ−ＲＧＣＨデータ）に対応する第１の制御チャネルデータを、（先に述べた１２０ビットのシグネチャシーケンスといった）第１のシグネチャシーケンスを用いて符号化することから始まる。ブロック１５２０に示されるように、第２のキャリア信号に対応する第２の制御チャネルデータは、第２のシグネチャシーケンスを用いて符号化される。第１及び第２の制御チャネルデータは、これらの個別のシグネチャシーケンスに基づいて受信ノードによって識別でき、次いで、キャリア信号にマッピングされた１つ以上の物理制御チャネルを用いて、単一のキャリア信号上にアグリゲートされ且つ送信され得る。ブロック１５３０に示されるように、これは、符号化された第１の制御チャネルデータと符号化された第２の制御チャネルデータとを、それぞれ第１及び第２のチャネライゼーションコードを用いて符号分割多重化することを含み得る。あるいは、これは、符号化された第１の制御チャネルデータと符号化された第２の制御チャネルデータとを、アンカーキャリア信号の第１及び第２のサブフレームを用いて時分割多重化することを代わりに含み得る。当業者は、これらのスキームの変形及び組み合わせもまた可能であることを理解するであろう。
【００７２】
図１２から図１５の処理フロー図に示される技法は、様々な無線リンクのいずれにおいても送信端及び受信端の一方又は双方において実装され得る。少し詳しく上述したように、これらの技法は、３ＧＰＰのＨＳＰＡ動作をサポートするネットワークにおける動作のために構成されるノードＢ及び／又は移動局において実装され得る。従って、本発明の実施形態は、基地局における使用か移動局における使用かに関わらず、図示され且つより一般的に上述された技法に係る方法、及び、これらの技法の１つ以上を実行するように構成された無線送受信器を含む。しかしながら、当業者は、本発明の本質的な特徴から逸脱することなく、本明細書に具体的に記載されたものとは異なる方法で、本発明が実行され得ることを認識するであろう。本実施形態は、あらゆる観点で例示的なものであって限定的なものではないと考えられるべきであり、添付の特許請求の範囲の意味及び均等の範囲内の全ての変更は、本明細書に包含されるものと意図される。
【図１】
0005969579.tif 000003
【図２】
0005969579.tif 000004
【図３】
0005969579.tif 000005
【図４】
0005969579.tif 000006
【図５】
0005969579.tif 000007
【図６】
0005969579.tif 000008
【図７】
0005969579.tif 000009
【図８】
0005969579.tif 000010
【図９】
0005969579.tif 000011
【図１０】
0005969579.tif 000012
【図１１】
0005969579.tif 000013
【図１２】
0005969579.tif 000014
【図１３】
0005969579.tif 000015
【図１４】
0005969579.tif 000016
【図１５】
0005969579.tif 000017